(57)【要約】【課題】映像や音声などのコンテンツの再生について、ユーザの使い勝手を向上させる。【解決手段】コンテンツが入力されるコンテンツ入力部と、コンテンツの再生位置を記録する再生位置記憶部と、所定の範囲の人の存否を判定するセンサと、前記センサの判定に基づいて前記所定の範囲に人がいない期間を計測するタイマとを備え、前記センサが所定の範囲に人がいないと判定した場合に、再生しているコンテンツの再生位置を前記再生位置記憶部において記録し、前記タイマで測定した期間に応じて、前記再生位置記憶部に記録された再生位置からのコンテンツの再生開始を促す表示の有無を制御するように構成する。【選択図】図３
2013031026.tif 000002
【特許請求の範囲】
【請求項１】
コンテンツを再生するコンテンツ再生装置であって、
記録メディアが接続される記録メディア接続部と、
コンテンツが入力されるコンテンツ入力部と、
コンテンツのデコード処理を行うデコード部と、
デコードされたコンテンツを出力する映像出力部と、
コンテンツの再生位置を記憶する再生位置記憶部と、
人の存否を判定するセンサと、
前記センサの判定に基づいて前記所定の範囲に人が居ない時間を計測するタイマと、を備え、
前記タイマで計測した時間に基づいて前記コンテンツ再生装置を節電状態に切り換え、
前記記録メディア接続部に接続された記録メディアが取り出されると、前記コンテンツ再生装置の節電状態を解除するコンテンツ再生装置。
【請求項２】
請求項１のコンテンツ再生装置であって、
前記センサが所定の範囲に人が居ないと判定した場合に、再生中のコンテンツの再生位置を前記再生位置記憶部にて記憶し、
前記センサが所定の範囲に人が居ると判定した場合に、前記記録メディア接続部に接続された記録メディアの有無に応じて、前記再生位置記憶部で記憶された再生位置からの再生を行うか否かをユーザに問い合わせるメッセージを出力するコンテンツ再生装置。
【請求項３】
請求項１のコンテンツ再生装置であって、
前記タイマで計測した時間が所定の閾値よりも長く、前記センサが所定の範囲に人が居ないと判定してから人が居ると判定するまでの間に前記記録メディア接続部に接続されたメディアの取り出しが無かった場合には、前記再生位置記憶部で記憶された再生位置からの再生を行うか否かをユーザに問い合わせるメッセージを出力し、
前記タイマで計測した時間が所定の閾値よりも長く、前記センサが所定の範囲に人が居ないと判定してから人が居ると判定するまでの間に前記記録メディア接続部に接続されたメディアが取り出された場合には、前記再生位置記憶部で記憶された再生位置からの再生を行うか否かをユーザに問い合わせるメッセージを出力しないコンテンツ再生装置。
【請求項４】
コンテンツを再生するコンテンツ再生装置であって、
コンテンツが入力されるコンテンツ入力部と、
前記コンテンツをデコードするデコード部と、
前記デコード部でデコードしたコンテンツを出力する映像出力部と、
コンテンツの再生位置を記憶する再生位置記憶部と、
人の存否を判定するセンサと、
前記センサの判定に基づいて前記所定の範囲に人が居ない期間を計測するタイマと、を備え、
前記センサで所定の範囲に人が居ないと判定した場合に、前記タイマで測定した時間に応じて、前記コンテンツ再生装置を節電状態に切り換え、
前記センサにおいて、所定の範囲に人が居ないと判定した場合に、再生しているコンテンツの再生位置を前記再生位置記憶部において記憶し、
前記センサにおいて、所定の範囲に人が居る判定した場合に、前記再生しているコンテンツが再生位置を調整することが可能なコンテンツであるか否かに応じて、前記再生位置記憶部で記憶された再生位置からの再生を行うか否かをユーザに問い合わせるメッセージまたは前記再生位置記憶部で記憶された再生位置からの再生を行うことができない旨をユーザに通知するメッセージを出力するコンテンツ再生装置。
【請求項５】
請求項４のコンテンツ再生装置であって、
前記センサで所定の範囲に人が居ると判定した場合に、前記タイマで測定した時間が所定の閾値よりも長く、前記再生位置記憶部で記憶された再生位置からの再生が可能な場合には、前記再生位置記憶部で記憶された再生位置からの再生を行うか否かをユーザに問い合わせるメッセージを出力し、
前記センサで所定の範囲に人が居ると判定した場合に、前記タイマで測定した時間が所定の閾値よりも長く、前記再生位置記憶部で記憶された再生位置からの再生ができない場合には、前記再生位置記憶部で記憶された再生位置からの再生を行うことができない旨をユーザに通知するメッセージを出力し、
前記センサで所定の範囲に人が居ると判定した場合に、前記タイマで測定した時間が所定の閾値よりも短い場合には、いずれのメッセージも表示しないコンテンツ再生装置。
【請求項６】
請求項４のコンテンツ再生装置であって、
再生する位置の調整を行えないコンテンツの再生が開始された場合に、再生する位置の調整を行えない旨を示すメッセージを出力するコンテンツ再生装置。
【請求項７】
コンテンツを再生するコンテンツ再生装置であって、
コンテンツが入力されるコンテンツ入力部と、
前記コンテンツをデコードするデコード部と、
前記デコード部でデコードされたコンテンツを出力する映像出力部と、
コンテンツの再生位置を記憶する再生位置記憶部と、
人の存否を判定するセンサと、
前記センサの判定に基づいて前記所定の範囲に人がいない時間を計測するタイマと、を備え、
前記センサが所定の範囲に人が居ないと判定した場合に、前記タイマで測定した期間に応じて、前記コンテンツ再生装置を節電状態に切り換え、
前記センサが所定の範囲に人が居ないと判定した場合に、再生中のコンテンツの再生位置を前記再生位置記憶部において記憶し、
前記センサが所定の範囲に人が居ると判定した場合に、前記コンテンツの再生制御の制限に応じて、前記再生位置記憶部で記憶された再生位置からの再生を行うか否かをユーザに問い合わせるメッセージ及び前記再生位置記憶部で記憶された再生位置からの再生を行うことができない旨をユーザに通知するメッセージのいずれかを出力するコンテンツ再生装置。
【請求項８】
請求項７のコンテンツ再生装置であって、
前記再生制御の制限は、コンテンツの第１の再生位置から第２の再生位置までで構成される再生制御禁止区域から再生位置を移動させる制御が行えない制限、前記再生制御禁止区域へ再生位置を移動させる制御が行えない制限、前記再生制御禁止区域をまたいで再生位置を移動させる制御が行えない制限、の組み合わせであるコンテンツ再生装置。
【請求項９】
請求項８のコンテンツ再生装置であって、
前記センサにおいて、所定の範囲に人居ると判定した場合に、前記タイマで測定した時間が所定の閾値よりも長く、前記再生制御の制限に反することなく前記再生位置記憶部で記憶された再生位置からの再生制御が可能な場合には、前記再生位置記憶部で記憶された再生位置からの再生を行うか否かをユーザに問い合わせるメッセージを出力し、
前記センサにおいて、所定の範囲に人居ると判定した場合に、前記タイマで測定した時間が所定の閾値よりも長く、前記再生制御の制限に反することなく前記再生位置記憶部で記憶された再生位置からの再生制御ができない場合には、前記再生位置記憶部で記憶された再生位置からの再生を行うことができない旨をユーザに通知するメッセージを出力し、
前記センサにおいて、所定の範囲に人居ると判定した場合に、前記タイマで測定した時間が所定の閾値よりも短い場合には、いずれのメッセージも表示しないコンテンツ再生装置。
【発明の詳細な説明】
【技術分野】
【０００１】
技術分野は、映像信号や音声信号の再生に関する。
【背景技術】
【０００２】
特許文献１には、「映像および／または音声を視聴している途中で使用者が一時的にその場を離れなければならない時にも、一時停止や停止の操作を使用者が行なう必要がなく、また、その場を一旦離れた後、その場に戻り再生を開始する場合にも、使用者は操作を行なう必要がなく、さらに、再生を再開するときにも、一時停止した時点の音声などを使用者が確実に認識することが可能な再生装置を提供すること」（特許文献１［０００５］参照）を課題とし、その解決手段として「記録媒体に記録された音声信号を再生する再生手段と、再生手段により再生された音声信号に基づき音声を出力する音声出力手段と、音声出力手段により出力される音声の聴取エリアに使用者がいるか否かを検知する検知手段と、制御手段とを備え、制御手段は、前記聴取エリアに使用者がいないことが検知手段によって検知されたとき、再生手段による音声信号の再生を一時停止し、記録媒体の再生位置を第１の時間分だけ戻して再生手段を一時停止の状態で待機させ、前記聴取エリアに使用者がいることが検知手段によって検知されたとき、再生手段による音声信号の再生を再開する制御を行なうこと」（特許文献１［０００６］参照）が記載されている。
【０００３】
また特許文献２には、「場所と時間とを選ばずに映像コンテンツの視聴を可能とし、しかも、場所や時間が変わっても、ひとまとまりの映像コンテンツについて視聴済である部分の再視聴を低減することで、映像コンテンツのみの視聴に消費する時間を低減できるようにした表示システムを提供すること」（特許文献２［０００６］参照）を課題とし、その解決手段として「映像情報を含む映像コンテンツを複数記憶したコンテンツ記憶手段と、コンテンツ記憶手段に対して映像コンテンツの読出の開始・停止を指示するとともに読出開始の指示時に映像コンテンツ内での読出開始位置を指定する読出制御手段と、複数箇所に設けられコンテンツ記憶手段から読出制御手段が読み出した映像コンテンツを提示する表示手段と、表示手段に関係付けて設けられ表示手段を視聴する利用者の存否を検出する利用者検出手段とを備え、読出制御手段は、映像コンテンツの読出停止時において出力未完了の映像コンテンツがあるときに、利用者の存在を検出している利用者検出手段に関係付けられた表示手段に対して当該映像コンテンツのうち少なくとも出力未完了の部分をコンテンツ記憶手段から読み出して当該表示手段に提示すること」（特許文献２［０００７］参照）が記載されている。
【先行技術文献】
【特許文献】
【０００４】
【特許文献１】特開２００１−８４６６２
【特許文献２】特開２００９−９４８１４
【発明の概要】
【発明が解決しようとする課題】
【０００５】
特許文献１では、ユーザが視聴エリアから離れてもコンテンツの再生を継続した場合に、そのユーザが見逃したシーンに関しては考慮されていない。また、特許文献２では、シーンの先頭位置を記録した後の処理や省電力、ユーザへの具体的な提示方法、ユーザ操作と人検知情報との組合せ制御などに関しては、考慮されていない。
【課題を解決するための手段】
【０００６】
上記課題を解決するために、例えば特許請求の範囲に記載の構成を採用する。
本願は上記課題を解決する手段を複数含んでいるが、その一例を挙げるならば、コンテンツを再生するコンテンツ再生装置であって、記録メディアが接続される記録メディア接続部と、コンテンツが入力されるコンテンツ入力部と、コンテンツのデコード処理を行うデコード部と、デコードされたコンテンツを出力する映像出力部と、コンテンツの再生位置を記憶する再生位置記憶部と、人の存否を判定するセンサと、センサの判定に基づいて所定の範囲に人が居ない時間を計測するタイマと、を備え、タイマで計測した時間に基づいてコンテンツ再生装置を節電状態に切り換え、記録メディア接続部に接続された記録メディアが取り出されると、コンテンツ再生装置の節電状態を解除することを特徴とする。
【発明の効果】
【０００７】
上記手段によれば、映像や音声などのコンテンツの再生について、ユーザの使い勝手を向上する効果をもたらす。
【図面の簡単な説明】
【０００８】
【図１】自動節電機能の動作の一例を示す図
【図２】再生位置調整機能の動作例の一例を示す図
【図３】コンテンツ再生装置の構成の一例を示す図
【図４】コンテンツ再生装置の構成の一例を示す図
【図５】実施例１における全体処理の一例を示す図
【図６】実施例１におけるユーザ離席中および帰席時の処理の一例を示す図
【図７】実施例１におけるコンテンツ再生装置の動作の一例を示す図
【図８】実施例１における画面表示の一例を示す図
【図９】実施例４における全体処理の一例を示す図
【図１０】実施例４におけるリムーブ時の処理（処理M１）の一例を示す図
【図１１】実施例４におけるコンテンツ再生装置の動作および画面表示の一例を示す図
【図１２】実施例５における再生開始時の処理の一例を示す図
【図１３】実施例５における画面表示の一例を示す図
【図１４】実施例５におけるユーザ離席中および帰席時、リムーブ時の処理の一例を示す図
【図１５】実施例５におけるユーザ帰席時の処理の一例を示す図
【図１６】実施例５におけるコンテンツ再生装置の動作および画面表示の一例を示す図
【図１７】実施例６におけるユーザ帰席時の処理の一例を示す図
【図１８】実施例２におけるコンテンツ再生装置の処理の一例を示す図
【図１９】実施例２におけるユーザ離席中および帰席時の処理の一例を示す図
【図２０】実施例２におけるコンテンツ再生装置の動作の一例を示す図
【図２１】実施例２における画面表示の一例を示す図
【図２２】実施例２におけるコンテンツ再生装置の動作の一例を示す図
【図２３】実施例２における画面表示の一例を示す図
【図２４】実施例３におけるコンテンツ再生装置の処理の一例を示す図
【図２５】実施例３におけるユーザ離席中および帰席時の処理の一例を示す図
【図２６】実施例３におけるコンテンツ再生装置の動作の一例を示す図
【発明を実施するための形態】
【実施例１】
【０００９】
以下、図面を用いて実施例を説明する。まずは、本実施例の概要について説明する。図１は、自動節電機能の動作の一例を示すものである。本発明では、例えば以下のようにコンテンツ再生装置が動作する機能を自動節電機能と呼ぶ。
【００１０】
図１（ａ）は、ユーザ１がコンテンツ再生装置３００の視聴エリアを離れた（離席した）ときの様子を示す。自動節電機能によりコンテンツ再生装置３００の状態が変わるのはユーザが離席した後であり、このときの画面状態は、映像や音声を通常通り出力する「通常モード」である。
【００１１】
図１（ｂ）は、ユーザが離席してから、ある一定の時間Tmsgが経過したときの様子を示す。このとき、コンテンツ再生装置３００は、節電モード移行メッセージ１０１を表示する。節電モード移行メッセージ１０１の内容の例としては、「まもなく節電モードに移行します」などが挙げられる。
【００１２】
図１（ｃ）は、ユーザが離席してから、ある一定の時間Tmute（≧Tmsg）が経過したときの様子を示す。このとき、コンテンツ再生装置３００の画面状態は「節電モード」に切り替わる。節電モードの例としては、映像の表示を中止して画面を黒い状態にする「消画」や、画面の表示輝度を落としつつ映像が見える状態を保つ「輝度低減」などが挙げられ、いずれの場合も通常モードより消費電力が低いことが特徴となる。
【００１３】
図１（ｄ）は、ユーザ１がコンテンツ再生装置３００の視聴エリアに戻った（帰席した）ときの様子を示す。このとき、コンテンツ再生装置の画面状態は再び「通常モード」となる。このように自動節電機能では、ユーザがコンテンツ再生装置の視聴エリアを離れたときに消画や輝度低減を行い、コンテンツ再生装置の消費電力を低減する。
【００１４】
図２は、再生位置調整機能の動作例の一例を示すものである。本発明では、例えば以下のようにコンテンツ再生装置が動作する機能を再生位置調整機能と呼ぶ。
【００１５】
図２（ａ）は、ユーザ１がコンテンツ再生装置３００の視聴エリアを離れた（離席した）ときの様子を示す。このときのコンテンツ再生位置をシーンAとする。
【００１６】
図２（ｂ）は、ユーザ１がコンテンツ再生装置３００の視聴エリアを離れている最中（離席中）の様子を示す。このとき、コンテンツの再生は継続中である。
【００１７】
図２（ｃ）は、ユーザ１がコンテンツ再生装置３００の視聴エリアに戻った（帰席した）ときの様子を示す。このとき、コンテンツ再生装置３００は、再生位置選択メッセージ２０１を表示する。再生位置選択メッセージ２０１の内容の例としては、「離席した再生位置に戻って再生しますか」などが挙げられ、メッセージに対する回答をユーザ１がリモコンなどを使って選択できる。このときの再生位置をシーンBとする。
【００１８】
図２（ｄ）は、再生位置選択メッセージ２０１に対して、ユーザ１が再生位置を戻すことを選択したときの様子を示す。このとき、コンテンツ再生装置３００はユーザが離席した時点の再生位置であったシーンAに戻って再生する。
【００１９】
図２（ｅ）は、再生位置選択メッセージ２０１に対して、ユーザ１が再生位置を戻さないことを選択したときの様子を示す。このとき、コンテンツ再生装置３００はシーンBを継続して再生する。
【００２０】
このように再生位置調整機能では、ユーザが帰席したときに、離席した時点の再生位置に戻って再生することをサポートし、ユーザの使い勝手を向上させる。
【００２１】
次に、本実施例におけるコンテンツ再生装置の構成について説明する。図３は、本実施例におけるコンテンツ再生装置の構成の一例を示すものである。図３において、３００はコンテンツ再生装置であり、３０１はコンテンツ記録部、３０２はチューナ、３０３はネットワークインタフェース部、３０４はコンテンツ信号入力部、３０５は映像・音声デコード部、３０６は制御部、３０７は映像出力部、３０８は音声出力部、３０９はユーザインタフェース部、３２１はセンサ、３２３はタイマ、３２４は再生位置記憶部である。
【００２２】
なお、図３では３０１〜３０９、３２１〜３２４の各部は独立しているが、必要に応じて１または複数の構成要件で構成しても良い。例えば、３０４、３０５、３０６は１または複数の中央処理装置（CPU）でその処理を行うように構成しても良い。また、図３では３０１〜３０９、３２１〜３２４の各部を全てコンテンツ再生装置３００の内部に構成しているが、例えば図４（ａ）〜（ｃ）に示すように１あるいは複数の構成要件をコンテンツ再生装置３００の外部に構成し、ネットワーク接続やユニバーサルシリアルバス（UＳB）接続によってコンテンツ再生装置３００に結合しても良い。このような構成では、例えば、コンテンツ再生装置３００とは別に用意したカメラをセンサ３２１として使用することができる。
【００２３】
コンテンツ記録部３０１は、ハードディスクドライブ（ＨＤＤ）やソリッドステートドライブ（ＳＳD）などの半導体素子でできたメモリなどで構成され、ディレクトリ構成を持ち、ファイル単位でコンテンツを記録できる。また、要求に応じて指定した位置からコンテンツを読み出せる仕組みを持つ。
【００２４】
チューナ３０２は、ラジオ、テレビ、ケーブルテレビ（CATV）などの映像や音声、電子番組ガイド（EPG）などのデータをアンテナ３５０から受信するための入力装置である。
【００２５】
ネットワークインタフェース部３０３は、インターネット網、電話回線、ローカルエリアネットワーク（ＬAN）などのネットワーク３６０からのコンテンツを受信するための入力装置である。
【００２６】
コンテンツ信号入力部３０４は、コンテンツ記録部３０１、チューナ３０２、ネットワークインタフェース部３０３、記録メディア接続部３１０などから映像や音声、文字などのコンテンツの信号を入力できるインタフェースである。
【００２７】
映像・音声デコード部３０５は、コンテンツ信号のデコード処理や、制御部３０６の要求に従った映像や音声の変換処理などを行い、処理の結果得られた映像データ、音声データをそれぞれ映像出力部３０７、音声出力部３０８に伝送する。また、ユーザインタフェース部３０９からのユーザ操作や後述するリジュームポイント情報などに基づいて、再生、一時停止、停止、再生位置ジャンプなどコンテンツの再生動作を制御する。さらに、コンテンツをエンコードしてコンテンツ記録装置３０１に記録する制御を行う。コンテンツ再生位置（チャプタ位置や再生フレーム数、コンテンツ頭からの再生経過時間など）も管理する。
【００２８】
制御部３０６は、ユーザインタフェース部３０９からの入力やセンサ３２１からの情報に基づいて、コンテンツ記録部３０１、チューナ３０２、ネットワークインタフェース部３０３、コンテンツ入力部３０４、映像・音声デコード部３０５、映像出力部３０７、音声出力部３０８、センサ３２１、タイマ３２３、再生位置記憶部３２４を制御する。また、映像出力部３０７や音声出力部３０８で出力するデータの信号を生成し、映像・音声デコード部３０５に対して入力する。
【００２９】
映像出力部３０７は、液晶や有機エレクトロルミネッセンス（有機EＬ）、プラズマ、発光ダイオード（ＬED）などの表示装置や、外部の表示デバイスに映像信号を出力するインタフェースであり、映像・音声デコード部３０５からの入力に従って、映像や文字などの情報を出力する。
【００３０】
音声出力部３０８は、スピーカなどの音声装置に音声信号を出力するインタフェースであり、映像・音声デコード部３０５からの入力に従って、音声などの情報を出力する。
【００３１】
ユーザインタフェース部３０９は、リモコン３７０からの信号を受信する受光部や操作パネルなどで構成され、ユーザからの入力を受け付けることができるインタフェースである。
【００３２】
記録メディア接続部３１０は、光ディスクやカセット型ＨＤＤ、メモリカード、さらにはUＳB接続型のＨＤＤなどの記録メディアの挿入や接続が可能で、これらの記録メディアからコンテンツの映像や音声に係る信号を読み取るための入力装置である。
【００３３】
センサ３２１は、人感センサやカメラセンサ、マイクセンサなどで構成され、検知エリア内の人物の在不在や視聴状況、視聴者数、視聴者識別などを検知する。センサの種類に関してはこれらに限定されず、人物の存在を検知できるセンサであれば他のセンサでもよい。
【００３４】
タイマ３２３は、時刻情報を管理し、任意のタイミングからの時間を計測できる機能を持ち、センサ出力値の時刻情報や人物の不在時間計測、コンテンツ再生時間制御などに利用する。
【００３５】
再生位置記憶部３２４は、センサ３２１にて認識した検知エリア（センサが人の存否を検知するエリア）内の人物の視聴状況に応じて、コンテンツのリジュームポイントを記憶する。本実施例では、コンテンツの再生位置として、リジュームポイントと記載しているが、タイムコードやチャプタなどコンテンツの再生位置を記録する仕組みを利用しても良い。
【００３６】
なお、図１で述べた「節電モード」は、制御部３０６からの制御要求によって映像出力部３０７における映像出力輝度を低減する、音声出力部３０８における音声出力レベルを低減する、映像・音声デコード部３０５におけるコンテンツ信号のデコードを中止する、あるいはこれらの組み合わせによって実現する。
【００３７】
また、映像出力部３０７や音声出力部３０８を外部の出力デバイスとして構成した場合は、制御部３０６からの制御要求によって外部出力デバイスの電源を切る、外部出力デバイスにおける映像出力輝度を低減する、外部出力デバイスにおけるにおける音声出力レベルを低減する、あるいはこれらの組み合わせによって「節電モード」を実現する。
【００３８】
次に、図５〜図８を用いて本実施例をより具体的に説明する。本実施例では、コンテンツ再生中における自動節電機能と再生位置調整機能の同時動作について述べる。
【００３９】
図５は、本実施例における処理の一例を示すものである。図５における処理は、ユーザがコンテンツ再生装置３００の視聴エリアを離れる（離席する）ことにより開始する。まず、Ｓ５０１では、センサ３２１にてユーザが離席したことを確認すると、再生位置記憶部３２４にて再生中のコンテンツにリジュームポイントを作成する。このリジュームポイントとは、ユーザが離席した時点あるいはその前後の所定の時間（例えば数秒、数分。以下、ユーザが離席した時点あるいはその前後の所定の時間を総称して単に「ユーザが離席した時点）と呼ぶ）の再生位置を記憶するポイントである。なお、リジュームポイントの作成と共に、ユーザが離席した時点に再生していたコンテンツを記憶してもよい。
【００４０】
リジュームポイントの作成により、後でユーザが視聴エリアに戻ってきた（帰席した）際、離席した時点の再生位置からコンテンツの再生を再開できる。また、リジュームポイントを作成すると共に、ユーザが離席した時点に再生していたコンテンツやコンテンツを再生しているメディアの種類を再生位置記憶部３０６に記憶しても良い。リジュームポイントと併せて再生していたコンテンツやメディアの種類を記憶すると、コンテンツ再生装置３００が複数種類のメディアを再生可能な場合においても、ユーザが離席した時点の再生メディアと再生位置を特定して再生を再開できる。
【００４１】
本実施例では、コンテンツの再生位置を記憶するためにリジュームポイントを利用しているが、チャプタやタイムコードなどの仕組みを利用しても良い。例えば、ユーザが離席した時点の再生コンテンツのチャプタを記録しておき、ユーザが帰席した際に当該チャプタから再生可能な構成としてもよい。
【００４２】
Ｓ５０２では、タイマ３２３で計測するユーザが離席してからの経過時間に基づいて、ユーザ離席中の処理（処理Ｌ１）を行う。処理Ｌ１の詳細は図６の説明と合わせて後述する。Ｓ５０２の処理が終わると、Ｓ５０３に進む。
【００４３】
Ｓ５０３では、ユーザがコンテンツ再生装置３００の視聴エリアに戻った（帰席した）か否かを判定する。センサ３２１にてユーザが帰席したことが確認されればＳ５０４に進み、ユーザが帰席したことが確認されなければ（ユーザの離席状態が続いていれば）Ｓ５０２に戻る。
【００４４】
Ｓ５０４では、タイマ３２３で計測するユーザが離席してからの経過時間および、帰席時の画面状態に基づいてユーザ帰席時の処理（処理Ｒ１）を行う。処理Ｒ１の詳細は図６の説明と合わせて後述する。Ｓ５０４の処理が終わると、図５に示す一連の処理が完了となる。
【００４５】
図６は、実施例１におけるユーザ離席中および帰席時の処理の一例を示すものである。図６（ａ）はユーザ離席中の処理（処理Ｌ１）内容を示した表であり、タイマ３２３で計測するユーザが離席してからの経過時間tuに基づいて、画面状態を決定する。制御部３０６では、ここで決定した画面状態に従って出力を制御し、その制御によって映像出力部３０７で表示を行う。
【００４６】
処理Ｌ１における処理内容は、以下の３通りに分類される。tuが０≦tu＜Tmsgを満たす場合、画面状態は通常モードとなる。なお、通常モードとは、コンテンツ再生装置においてユーザがコンテンツを視聴可能な状態を示す。コンテンツ再生装置がコンテンツの再生に用いる複数のモード（映画コンテンツの視聴に適したシネマモードや、視聴環境に応じて画質を調整するモード等）がある場合は、これらを総称して通常モードともいう。
【００４７】
tuがTmsg≦tu＜Tmuteを満たす場合、コンテンツ再生装置の画面状態は節電モードに移行する旨をユーザに伝えるメッセージ（以下、「節電モード移行メッセージ」ともいう。）を表示している状態となる。なお、節電モードとは、通常モードに比べてコンテンツ再生装置の消費電力を抑えた状態を示す。節電モードの例としては、ディスプレイのバックライトを消灯して画面を黒い状態にする「消画」や、画面の表示輝度を落としつつ映像が見える状態を保つ「輝度低減」などが挙げられ、いずれの場合も通常モードより消費電力が低い。通常、輝度低減は消画の状態より消費電力は高くなるが、輝度低減の状態では映像が流れていることを確認できるので、ユーザが故障と誤解する可能性を低減することができる。
【００４８】
tuがTmute≦tuを満たす場合、コンテンツ再生装置は節電モードとなる。ここで、Tmsgは節電モード移行メッセージの表示を開始するまでのある一定の時間、Tmuteは節電モードに移行するまでのある一定の時間であり、両者の関係はTmsg≦Tmuteである。Tmsg＝Tmuteの場合は、節電モード移行メッセージを表示している期間がゼロとなり、通常モードから直接節電モードに遷移する。
【００４９】
図６（ｂ）はユーザ帰席時の処理（処理Ｒ１）であり、タイマ３２３で計測するユーザが離席してからの経過時間tuおよび、帰席時の画面状態に基づいて、処理内容を決定する。制御部３０６では、ここで決定した処理内容に従って出力を制御し、その制御によって映像出力部３０７で表示を行う。
【００５０】
処理Ｒ１における処理内容は、以下の６通りに分類される。ユーザの離席期間がTplay以下の場合は、画面状態に依らず、コンテンツの再生位置を選択するメッセージ（以下、「再生位置選択メッセージ」ともいう。）を表示しない。
【００５１】
tuがtu＜Tplayを満たし、画面状態が通常モードの場合、何も処理を行わない。tuがTplay≦tuを満たし、画面状態が通常モードの場合、再生位置選択メッセージを表示する。
【００５２】
tuがtu＜Tplayを満たし、画面状態が節電モード移行メッセージを表示している状態の場合、節電モード移行メッセージの表示を終了する。tuがTplay≦tuを満たし、画面状態が節電モード移行メッセージを表示している状態の場合、節電モード移行メッセージの表示を終了した上で、再生位置選択メッセージを表示する。
【００５３】
tuがtu＜Tplayを満たし、画面状態が節電モードの場合、通常モードに移行する。tuがTplay≦tuを満たし、画面状態が節電モードの場合、通常モードに移行した上で再生位置選択メッセージを表示する。このようにTplayに関する条件を設けることでユーザが離席後すぐに帰席した場合などに、再生位置を選択する処理を省くことで、例えばユーザが短い時間の離席（例えば、放送コンテンツの視聴におけるＣＭ時間の離席）ごとにいちいちコンテンツの再生位置を指定するというユーザにとって煩わしいと考えられる処理を省くことが可能となる。
【００５４】
なお、再生位置選択メッセージの表示があった場合には、ユーザの選択に基づいて、映像・音声デコード部３０６にて再生位置の制御を行う。再生位置選択メッセージに対して、ユーザがユーザインタフェース部３０９を通じて再生位置を「戻す」選択をした場合は、図５のＳ５０１で作成したリジュームポイントに再生位置を戻す。再生位置を「戻さない」選択をした場合は、リジュームポイントに戻らずに再生を継続する。ユーザがいずれかの選択を行った時点で、再生位置選択メッセージの表示を終了する。
【００５５】
再生位置選択メッセージはユーザがいずれかを選択するまで表示し続けても良いし、ユーザがいずれも選択することなく一定時間を経過した場合には、自動的に再生位置選択メッセージの表示を終了させても良い。このように自動的に再生位置選択メッセージの表示を終了させた後の再生位置に関する処理は、リジュームポイントに再生位置を戻すようにしても良いし、リジュームポイントに戻らずに再生を継続するようにしても良い。
【００５６】
図５のＳ５０１において作成したリジュームポイントは、ユーザが再生位置の選択をしたタイミングで消去してもよい。あるいは、ユーザが再生位置の選択をしないまま再生位置選択メッセージの表示を終了したタイミングで消去してもよい。あるいは、ユーザが再び離席して新しいリジュームポイントを作成する際に上書きしてもよい。
【００５７】
図７は、本実施例におけるコンテンツ再生装置の動作の一例を説明する図面である。ここでは、Tmsg=３分、Tmute=４分、Tplay=３分であると想定している。ユーザの状態は離席中、在席中のいずれかであり、t=１分で離席、t=３分で帰席、t=６分で離席、t=１４分で帰席したと想定している。
【００５８】
画面状態は通常モード、節電モード移行メッセージ表示、節電モードのいずれかであり、上記想定の場合、ユーザが離席してからTmsgが経過したt=９分の時点で節電モード移行メッセージを表示する。また、ユーザが離席してからTmuteが経過したt=１０分の時点で節電モードに移行する。さらに、ユーザが帰席したt=１４分の時点で通常モードに移行する。
【００５９】
ユーザが一度目に帰席したt=３分のときは、離席時間がTplayに満たないため、再生位置選択メッセージは表示しない。一方、ユーザが二度目に帰席したt=１４分のときは、離席時間がTplay以上であるため、再生位置選択メッセージを表示する。
【００６０】
図８は、実施例１においてコンテンツ再生装置が図７に示すように動作した際の画面表示例である。t=８分のときは通常モードであり、図８（ａ）に示すような画面表示となる。t=９分のとき、通常モードから節電モード移行メッセージ１０１を表示する状態に移行し、図８（ｂ）に示すような画面表示となる。t=１０分のとき、節電モード移行メッセージ１０１を表示する状態から節電モードに移行し、図８（ｃ）に示すような画面表示となる。t=１４分のとき、節電モードから通常モードに移行すると同時に再生位置選択メッセージ２０１を表示し、図８（ｄ）に示すような画面表示となる。
【００６１】
本実施例のように自動消画機能と再生位置調整機能が同時に動作する場合、TmuteとTplayの値が異なると、ユーザが離席してから節電モードに移行するまでの時間と、再生位置調整機能が作動し始めるまでの時間が異なる。このような状態を解消するために、Tmute≠TplayのときはTmuteとTplayのいずれか、あるいは両方を自動的に調整し、両者が同じ値になるように制御しても良い。
【００６２】
上述したように、本実施例では自動節電機能と再生位置調整機能を同時に動作させる。これにより、ユーザが離席した際に消画や輝度低減を行い、コンテンツ再生装置の消費電力を低減する効果が得られる。また、ユーザが帰席した際に再生位置を選択する機会を提供し、使い勝手を向上させる効果が得られる。ユーザの離席中に再生していたコンテンツが終端に達し、コンテンツの再生が自動的に停止した場合も、図６（ｂ）においてユーザが再生位置を「戻さない」選択をした際の処理を、リジュームポイントに戻らずに停止を維持するように変更すれば、同様の効果が得られる。
【実施例２】
【００６３】
次に、図１８〜図２２を用いて実施例２を説明する。実施例２では、ユーザがコンテンツ再生中に一時停止操作を行った際の、自動節電機能と再生位置調整機能について説明する。なお、コンテンツ再生装置の構成等、実施例１で図１〜４を用いて説明した事項は本実施例においても同様である。
【００６４】
図１８は、本実施例におけるコンテンツ再生装置の処理の一例を示すものである。図１８における処理は、ユーザがユーザインタフェース部３０９を通じて、一時停止の操作を行うことにより開始する。まず、Ｓ１８０１では、ユーザがコンテンツ再生装置３００の視聴エリアを離れた（離席した）か否かを判定する。センサ３２１にてユーザが離席したことが確認されればＳ１８０５に進み、ユーザが離席したことが確認されなければ（ユーザの在席状態が続いていれば）Ｓ１８０２に進む。
【００６５】
Ｓ１８０２では、ユーザが一時停止を解除する操作を行ったか否かを判定する。映像・音声デコード部およびユーザインタフェース部３０９にて、一時停止の解除が確認されなければ（一時停止の状態が続いていれば）Ｓ１８０３に進み、一時停止の解除が確認されれば図７における一連の処理を終了する。
【００６６】
Ｓ１８０３では、一時停止かつ非節電モードの状態がある一定期間Tpause以上継続中か否かを判定する。ここで、非節電モードとは、節電モード以外の状態、すなわち通常モードあるいは節電移行メッセージ表示状態を指す。また、Tpauseは一時停止を解除する時間である。Tpause以上継続して一時停止画面が出力されることがないように画面状態を制御すると、画面に映像が焼き付くことを防止できる。映像・音声デコード部３０５およびタイマ３２３にて、Tpause以上継続していることが確認されればＳ１８０４に進み、Tpause以上継続していないことが確認されればＳ１８０１に戻る。
【００６７】
Ｓ１８０４では、映像・音声デコード部３０５にて一時停止を解除し、図１８における一連の処理を終了する。一時停止を解除する動作の例としては、コンテンツの再生を再開することや、コンテンツを停止することなどが挙げられる。
【００６８】
Ｓ１８０５では、タイマ３２３で計測するユーザが離席してからの経過時間に基づいて、ユーザ離席中の処理（処理Ｌ２）を行う。処理Ｌ２の詳細は図１９の説明と合わせて後述する。Ｓ１８０５の処理が終わると、Ｓ１８０６に進む。
【００６９】
Ｓ１８０６では、ユーザがコンテンツ再生装置３００の視聴エリアに戻った（帰席した）か否かを判定する。センサ３２１にてユーザが帰席したことが確認されればＳ１８０７に進み、ユーザが帰席したことが確認されなければ（ユーザの離席状態が続いていれば）Ｓ１８０５に戻る。
【００７０】
Ｓ１８０７では、ユーザ帰席時のコンテンツ再生状態および、帰席時の画面状態に基づいてユーザ帰席時の処理（処理Ｒ２）を行う。処理Ｒ２の詳細は図１９の説明と合わせて後述する。Ｓ１８０７の処理が終わると、Ｓ１８０８に進む。
【００７１】
Ｓ１８０８では、処理Ｒ２を行った結果のコンテンツの再生状態が一時停止であるか否かを判定する。映像・音声デコード部３０５にて、一時停止中であることが確認されればＳ１８０１に戻り、一時停止中でないことが確認されれば図１８における一連の処理を終了する。
【００７２】
図１９は、本実施例におけるユーザ離席中および帰席時の処理の一例を示すものである。図１９（ａ）はユーザ離席中の処理（処理Ｌ２）であり、タイマ３２３で計測するユーザが離席してからの経過時間tuに基づいて、画面状態を決定する。制御部３０６では、ここで決定した画面状態に従って出力を制御し、その制御によって映像出力部３０７で表示を行う。
【００７３】
処理Ｌ２における処理内容は、以下の３通りに分類される。tuが０≦tu＜Tmsgを満たす場合、画面状態は通常モードとなる。tuがTmsg≦tu＜Tmuteを満たす場合、画面状態は節電モード移行メッセージを表示している状態となる。tuがTmute≦tuを満たす場合、画面状態は節電モードとなる。
【００７４】
ここで、Tmsgは節電モード移行メッセージの表示を開始するまでのある一定の時間、Tmuteは節電モードに移行するまでのある一定の時間であり、両者の関係はTmsg≦Tmuteである。Tmsg＝Tmuteの場合は、節電モード移行メッセージを表示している期間がゼロとなり、通常モードから直接節電モードに遷移する。
【００７５】
これらに加え、処理Ｌ２では、映像・音声デコード部３０５およびタイマ３２３にて、Tpause以上一時停止かつ非節電モードの状態が確認されれば、映像・音声デコード部３０５にて一時停止を解除する処理を行う。
【００７６】
図１９（ｂ）はユーザ帰席時の処理（処理Ｒ２）であり、帰席時の一時停止状態および、帰席時の画面状態に基づいて、処理内容を決定する。制御部３０６では、ここで決定した処理内容に従って出力を制御し、その制御によって映像出力部３０７で表示を行う。
【００７７】
処理Ｒ２における処理内容は、以下の６通りに分類される。コンテンツ再生状態が一時停止であり、画面状態が通常モードのときは何も処理を行わない。コンテンツ再生状態が一時停止解除済みであり、画面状態が通常モードのときは再生位置選択メッセージを表示する。
【００７８】
コンテンツ再生状態が一時停止であり、画面状態が節電モード移行メッセージを表示している状態の場合、節電モード移行メッセージの表示を終了する。コンテンツ再生状態が一時停止解除済みであり、画面状態が節電モード移行メッセージを表示している状態の場合、節電モード移行メッセージの表示を終了した上で、再生位置選択メッセージを表示する。
【００７９】
コンテンツ再生状態が一時停止中であり、画面状態が節電モードの場合、一時停止画面のまま通常モードに移行する。コンテンツ再生状態が一時停止解除済みであり、画面状態が節電モードの場合は、一時停止解除後画面のまま通常モードに移行した上で、再生位置選択メセージを表示する。
【００８０】
なお、再生位置選択メッセージの表示があった場合には、ユーザの選択に基づいて、映像・音声デコード部３０５にて再生位置の制御を行う。再生位置選択メッセージに対して、ユーザがユーザインタフェース部３０９を通じて再生位置を「戻す」選択をした場合は、一時停止していた位置から再生を行う。
【００８１】
再生位置を「戻さない」選択をした場合は、一時停止していた位置に戻らない。ユーザがいずれかの選択を行った時点で、再生位置選択メッセージの表示を終了する。このときの再生位置選択メッセージの内容は、「一時停止していた位置に戻って再生しますか」などとし、一時停止せずに離席した場合とは異なるようにしても良い。
【００８２】
再生位置選択メッセージはユーザがいずれかを選択するまで表示し続けても良いし、ユーザがいずれも選択することなく一定時間を経過した場合には、自動的に再生位置選択メッセージの表示を終了させても良い。このように自動的に再生位置選択メッセージの表示を終了させた後の再生位置に関する処理は、一時停止していた位置に再生位置を戻すようにしても良いし、一時停止していた位置に戻らないようにしても良い。
【００８３】
図２０は、本実施例におけるコンテンツ再生装置の動作の一例を示すものである。
【００８４】
ここでは、Tmsg=３分、Tmute=４分、Tpause=５分であると想定している。ユーザの状態は離席中、在席中のいずれかであり、t=１分で離席、t=１４分で帰席し、またt=０分でユ−ザが一時停止の操作を行ったと想定している。
【００８５】
画面状態は通常モード、節電モード移行メッセージ表示、節電モードのいずれかであり、上記想定の場合、ユーザが離席してからTmsgが経過したt=４分の時点で節電モード移行メッセージを表示する。また、ユーザが離席してからTmuteが経過したt=５分の時点で節電モードに移行する。さらに、ユーザが帰席したt=１４分の時点で通常モードに移行する。
【００８６】
コンテンツ再生状態は一時停止、一時停止解除のいずれかであり、上記の場合では一時停止かつ非節電モードの状態がTpause以上継続することはないので、一時停止の状態が自動的に解除されることはない。ユーザが帰席したt=１４分の時点で一時停止は継続中であり、このとき再生位置選択メッセージは表示されない。
【００８７】
図２１は、本実施例においてコンテンツ再生装置が図２０に示すように動作した際の画面表示例である。t=３分のときは通常モードかつ一時停止の状態であり、図２１（ａ）に示すような画面表示となる。t=４分のとき、一時停止したまま節電モード移行メッセージ１０１を表示する状態に移行し、図２１（ｂ）に示すような画面表示となる。t=５分のとき、一時停止したまま節電モードに移行し、図２１（ｃ）に示すような画面表示となる。t=１４分のとき、一時停止したまま通常モードに移行し、図２１（ｄ）に示すような画面表示となる。
【００８８】
図２２は、本実施例におけるコンテンツ再生装置の動作の一例を示すものである。
【００８９】
ここでは、Tmsg=３分、Tmute=４分、Tpause=２分であると想定している。ユーザの状態は離席中、在席中のいずれかであり、t=１分で離席、t=１４分で帰席し、またt=０分でユ−ザが一時停止の操作を行ったと想定しており、このユーザの動きは図２０の場合と同様である。
【００９０】
画面状態は通常モード、節電モード移行メッセージ表示、節電モードのいずれかであり、上記想定の場合、ユーザが離席してからTmsgが経過したt=４分の時点で節電モード移行メッセージを表示する。また、ユーザが離席してからTmuteが経過したt=５分の時点で節電モードに移行する。さらに、ユーザが帰席したt=１４分の時点で通常モードに移行する。
【００９１】
コンテンツ再生状態は一時停止、一時停止解除のいずれかであり、上記の場合ではt=２分の時点で一時停止かつ非節電モードの状態がTpauseに達するので、一時停止が自動的に解除となる。ユーザが帰席したt=１４分の時点で一時停止は解除さてれおり、このとき再生位置選択メッセージが表示される。
【００９２】
図２３は、本実施例においてコンテンツ再生装置が図２２に示すように動作した際の画面表示例である。t=１分のときは通常モードかつ一時停止の状態であり、図２３（ａ）に示すような画面表示となる。t=２分のとき、一時停止は自動的に解除となり、図２３（ｂ）に示すような画面表示となる。t=５分のとき、一時停止が解除された状態で節電モードに移行し、図２３（ｃ）に示すような画面表示となる。t=１４分のとき、一時停止が解除された状態で通常モードに移行すると同時に再生位置選択メッセージを表示２０１し、図２３（ｄ）に示すような画面表示となる。
【００９３】
上述したように、本実施例ではユーザが一時停止の操作を行った際に、自動節電機能と再生位置調整機能を同時に動作させる。これにより、ユーザが離席した際に消画や輝度低減を行い、コンテンツ再生装置の消費電力を低減する効果が得られる。それと同時に、ユーザが帰席した際に再生位置を選択する機会を提供し、使い勝手を向上させる効果が得られる。
【００９４】
本実施例では、節電モードが消画に設定してある場合には、一時停止中の映像がTpause以上継続して出力されることはなく、画面に映像が焼き付くことを防止できる。しかし、節電モードが輝度低減に設定してある場合には、輝度を低減した状態で一時停止中の映像がTpause以上継続して出力されることもあり、画面に映像が焼き付く可能性がある。節電モードが輝度低減に設定してある場合にも画面に映像が焼き付くことを防止する方法については、実施例３で述べる。
【実施例３】
【００９５】
次に、図２４〜図２６を用いて実施例３を説明する。実施例３では、ユーザがコンテンツ再生中に一時停止操作を行った際の、自動節電機能と再生位置調整機能について述べる。実施例２との違いは、節電モードが輝度低減に設定してある場合にも画面に映像が焼き付くことを防止する点である。なお、コンテンツ再生装置の構成等、実施例１で図１〜４を用いて説明した事項は本実施例においても同様である。
【００９６】
図２４は、実施例３におけるコンテンツ再生装置の処理の一例を示すものである。図２４における処理は、ユーザがユーザインタフェース部３０９を通じて、一時停止の操作を行うことにより開始する。
【００９７】
まず、Ｓ２４０１では、ユーザが一時停止を解除する操作を行ったか否かを判定する。映像・音声デコード部３０５にて、一時停止の解除が確認されなければ（一時停止の状態が続いていれば）Ｓ２４０２に進み、一時停止の解除が確認されれば図２４における一連の処理を終了する。
【００９８】
Ｓ２４０２では、一時停止の状態がある一定期間Tpause以上継続中か否かを判定する。映像・音声デコード部３０５およびタイマ３２３にて、Tpause以上継続していることが確認されればＳ２４０３に進み、Tpause以上継続していないことが確認されればＳ２４０１に戻る。
【００９９】
Ｓ２４０３では、映像・音声デコード部３０５にて一時停止を解除し、図１１における一連の処理を終了する。一時停止を解除する動作の例としては、コンテンツの再生を再開することや、コンテンツを停止することなどが挙げられる。
【０１００】
Ｓ２４０４では、ユーザがコンテンツ再生装置３００の視聴エリアを離れた（離席した）か否かを判定する。センサ３２１にてユーザが離席したことが確認されればＳ２４０５に進み、ユーザが離席したことが確認されなければ（ユーザの在席状態が続いていれば）図２４における一連の処理を終了する。
【０１０１】
Ｓ２４０５では、タイマ３２３で計測する一時停止解除後のユーザが離席経過時間に基づいて、ユーザ離席中の処理（処理Ｌ３）を行う。処理Ｌ３の詳細は図２５の説明と合わせて後述する。Ｓ２４０５の処理が終わると、Ｓ２４０６に進む。
【０１０２】
Ｓ２４０６では、ユーザがコンテンツ再生装置３００の視聴エリアに戻った（帰席した）か否かを判定する。センサ３２１にてユーザが帰席したことが確認されればＳ２４０７に進み、ユーザが帰席したことが確認されなければ（ユーザの離席状態が続いていれば）Ｓ２４０４に戻る。
【０１０３】
Ｓ２４０７では、タイマ３２３で計測するユーザが離席してからの経過時間および、帰席時の画面状態に基づいてユーザ帰席時の処理（処理Ｒ３）を行う。処理Ｒ３の詳細は図２５の説明と合わせて後述する。Ｓ２４０７の処理が終わると、図２４における一連の処理を終了する。
【０１０４】
図２５は、本実施例におけるユーザ離席中および帰席時の処理の一例を示すものである。
【０１０５】
図２５（ａ）はユーザ離席中の処理（処理Ｌ３）であり、タイマ３２３で計測する一時停止解除後のユーザ離席経過時間taに基づいて、画面状態を決定する。制御部３０６では、ここで決定した画面状態に従って出力を制御し、その制御によって映像出力部３０７で表示を行う。
【０１０６】
処理Ｌ３における処理内容は、以下の３通りに分類される。taが０≦ta＜Tmsgを満たす場合、画面状態は通常モードとなる。taがTmsg≦ta＜Tmuteを満たす場合、画面状態は節電モード移行メッセージを表示している状態となる。taがTmute≦taを満たす場合、画面状態は節電モードとなる。
【０１０７】
図２５（ｂ）はユーザ帰席時の処理（処理Ｒ３）であり、タイマ３２３で計測するユーザが離席してからの経過時間tuおよび、帰席時の画面状態に基づいて、処理内容を決定する。制御部３０６では、ここで決定した処理内容に従って出力を制御し、その制御によって映像出力部３０７で表示を行う。
【０１０８】
処理Ｒ３における処理内容は、以下の６通りに分類される。tuがtu＜Tplayを満たし、画面状態が通常モードの場合は何も処理を行わない。tuがTplay≦tuを満たし、画面状態が通常モードの場合は再生位置選択メッセージを表示する。
【０１０９】
tuがtu＜Tplayを満たし、画面状態が節電モード移行メッセージを表示している状態の場合、節電モード移行メッセージの表示を終了する。tuがTplay≦tuを満たし、画面状態が節電モード移行メッセージを表示している状態の場合、節電モード移行メッセージの表示を終了した上で再生位置選択メッセージを表示する。
【０１１０】
tuがtu＜Tplayを満たし、画面状態が節電モードの場合、通常モードに移行する。tuがTplay≦tuを満たし、画面状態が節電モードの場合は、通常モードに移行した上で再生位置選択メッセージを表示する。
【０１１１】
再生位置選択メッセージの表示があった後の処理は、実施例２における図２０（ｂ）の場合と同様なので、説明を省略する。
【０１１２】
図２６は、実施例３におけるコンテンツ再生装置の動作の一例を示すものである。ここでは、Tmsg=３分、Tmute=４分、Tpause=５分であると想定している。ユーザの状態は離席中、在席中のいずれかであり、t=１分で離席、t=１４分で帰席し、またt=０分でユ−ザが一時停止の操作を行ったと想定している。コンテンツ再生状態は一時停止、一時停止解除のいずれかであり、ユーザが一時停止の操作を行ってからTpauseが経過したt=５分の時点で一時停止が自動的に解除となる。
【０１１３】
画面状態は通常モード、節電モード移行メッセージ表示、節電モードのいずれかであり、上記想定の場合、一時停止が解除されてからTmsgが経過したt=８分の時点で節電モード移行メッセージを表示する。また、一時停止が解除されてからTmuteが経過したt=９分の時点で節電モードに移行する。さらに、ユーザが帰席したt=１４分の時点で通常モードに移行する。
【０１１４】
上述したように、実施例３ではユーザが一時停止の操作を行った際に、自動節電機能と再生位置調整機能を同時に動作させる。これにより、ユーザが離席した際に消画や輝度低減を行い、コンテンツ再生装置の消費電力を低減する効果が得られる。それと同時に、ユーザが帰席した際に再生位置を選択する機会を提供し、使い勝手を向上させる効果が得られる。
【０１１５】
実施例３では、電モードが輝度低減に設定してある場合でも、一時停止中の映像がTpause以上継続して出力されることはなく、画面に映像が焼き付くことを防止できる。
【実施例４】
【０１１６】
次に、図９〜図１１を用いて実施例４を説明する。実施例４では、コンテンツ再生装置からの取り出しや切り離しが可能な記録メディア（以下、リムーバブルメディアと記す）に記録されているコンテンツの再生中における、自動節電機能と再生位置調整機能について述べる。なお、コンテンツ再生装置の構成等、実施例１で図１〜４を用いて説明した事項は本実施例においても同様である。
【０１１７】
リムーバブルメディアとは、たとえば光ディスクやカセット型ＨＤＤ、メモリカード、さらにはUＳB接続型のＨＤＤなどがある。これらのリムーバブルメディアは、自動節電機能や再生位置調整機能が作動している最中に取り出しや切り離し（以下、リムーブと記す）が行われる可能性がある。
【０１１８】
図９は、実施例４におけるユーザ離席中および帰席時、さらにはリムーブ時の処理の一例を示すものである。図９における処理は、コンテンツ再生装置３００においてリムーバブルメディアのコンテンツ再生中に、ユーザが離席することにより開始する。Ｓ５０１は図５に示す処理と同じであり、これが終わるとＳ９０１に進む。
【０１１９】
Ｓ９０１では、コンテンツ再生中の記録メディアがコンテンツ再生装置からリムーブされたか（取り外されたか）否かを判定する。記録メディア接続部３１０にてリムーブが確認されればＳ９０２に進み、リムーブが確認されなければＳ５０２に進む。
【０１２０】
Ｓ９０２では、画面状態に基づいて、リムーブ時の処理（処理M１）を行う。処理M１の詳細は図１０の説明と併せて後述する。Ｓ９０２が終わると、図９に示す一連の処理を終了する。なお、Ｓ９０２の処理が行われるのはユーザ離席後、センサ３２１にてユーザの帰席を確認する前に記録メディアがリムーブされた場合である。例えば一旦離席したユーザがセンサ３２１の検知エリア外からコンテンツ再生装置３００に接近して記録メディアをリムーブした場合や、センサ３２１の検知エリア外からリモコン操作などにより記録メディアをリムーブした場合がこのようなケースに該当する。
【０１２１】
Ｓ５０２は図５に示す処理と同じであり、これが終わるとＳ５０３に進む。Ｓ５０３は図５に示す処理と同じであり、センサ３２１にてユーザが帰席したことが確認されればＳ５０４に進み、ユーザが帰席したことが確認されなければＳ９０１に戻る。Ｓ５０４は図５に示す処理と同じであり、これが終わると図９に示す一連の処理を終了する。
【０１２２】
図１０は、実施例４におけるリムーブ時の処理（処理M１）の一例を示すものである。処理M１では、記録メディアがリムーブされたときの画面状態に基づいて、処理内容を決定する。制御部３０６では、ここで決定した処理内容に従って出力を制御し、その制御によって映像出力部３０７で表示を行う。
【０１２３】
処理M１における処理内容は、以下の３通りに分類される。リムーブ時の画面状態が通常モードの場合、何も処理を行わない。画面状態が節電モード移行メッセージを表示している状態の場合、節電モード移行メッセージの表示を終了する。画面状態が節電モードの場合、通常モードに移行する。なお、再生中の記録メディアがリムーブされると、再生していたコンテンツに関して再生位置調整を行えなくなるため、処理M１ではいずれの場合も再生位置選択メッセージは表示しない。
【０１２４】
図１１は、実施例４におけるコンテンツ再生装置の動作および画面表示の一例を示すものである。ここでは、Tmsg=３分、Tmute=４分、Tplay=３分であると想定している。ユーザの状態は離席中、在席中のいずれかであり、t=６分で離席、t=１４分で帰席したと想定している。また、t=１２分で再生中の記録メディアがリムーブされたと想定しており、このとき、ユーザがセンサ３２１の検知エリア外からコンテンツ再生装置３００に接近してリムーブした、あるいはセンサ３２１の検知エリア外からリモコン操作によりリムーブしたなどの理由により、センサ３２１ではユーザが帰席したとは判定していない。
【０１２５】
画面状態は通常モード、節電モード移行メッセージ表示、節電モードのいずれかであり、上記想定の場合、ユーザが離席してからTmsgが経過したt=９分の時点で節電モード移行メッセージを表示する。また、ユーザが離席してからTmuteが経過したt=１０分の時点で節電モードに移行する。さらに、記録メディアがリムーブされたt=１２分の時点で通常モードに移行する。この間、再生位置選択メッセージは表示しない。
【０１２６】
このようにコンテンツ再生装置が動作した場合、t=８分のときは通常モードであり、図１１（ａ）に示すように映像や音声を通常通り出力している状態となる。t=９分のとき、通常モードから節電モード移行メッセージ１０１を表示する状態に移行し、図１１（ｂ）に示すような画面表示となる。t=１０分のとき、節電モード移行メッセージ１０１を表示する状態から節電モードに移行し、図１１（ｃ）に示すように消画あるいは輝度低減した画面状態となる。t=１２分のとき、節電モードから通常モードに移行し、図１１（ｄ）に示すように映像や音声を通常通り出力している状態となる。
【０１２７】
上述したように、実施例４ではコンテンツ再生中の記録メディアがリムーブされた場合、再生位置選択メッセージを表示せずに、必要に応じて画面状態を通常モードに戻す処理を行う。このことにより、コンテンツ再生中の記録メディアがリムーブされるエラーケースを考慮した自動節電機能と再生位置調整機能を実現することができる。
【実施例５】
【０１２８】
次に、図１２〜１６を用いて実施例５を説明する。コンテンツによっては、映画の予告編やユーザに対する警告画面等、任意位置からの再生や任意位置へのスキップが行えない、すなわち再生位置調整を行えないものがある。そこで実施例５では、再生位置調整が行えない部分を含むコンテンツの再生中における、自動節電機能と再生位置調整機能について述べる。なお、コンテンツ再生装置の構成等、実施例１で図１〜４を用いて説明した事項は本実施例においても同様である。
【０１２９】
図１２は、実施例５における再生開始時の処理の一例を示すものである。図１２における処理は、コンテンツ再生装置３００においてリムーバブルメディアのコンテンツが再生されることにより開始する。リムーバブルメディアに記録されているコンテンツでは、映画の予告編やユーザに対する警告画面などを含む場合、任意位置からの再生や任意位置へのスキップが行えない、すなわち再生位置調整を行えないことがある。
【０１３０】
まず、Ｓ１２０１では、再生が開始されたコンテンツの再生位置調整が可能か否かを判定し、再生位置の調整ができない場合はＳ１２０２に進み、再生位置の調整ができる場合は図１２に示す一連の処理を終了する。Ｓ１２０２では、再生位置調整ＮＧメッセージ１３０１を表示する。再生位置調整ＮＧメッセージ１３０１は、ユーザに対して再生位置調整できない旨を伝えるものであり、例えば図１３に示すように「このコンテンツでは再生位置調整機能をご利用できません」などの文言を映像出力部３０７にて表示を行う。このように再生開始直後のタイミングでメッセージを表示することで、再生位置調整ができないことを知らないままユーザが離席してしまう可能性を低減できる。
【０１３１】
図１４は、実施例５におけるユーザ離席中および帰席時、さらにはリムーブ時の処理の一例を示すものである。図１４における処理は、コンテンツ再生装置３００において再生位置調整が行えないコンテンツ再生中に、ユーザが離席することにより開始する。Ｓ５０１は図５に示す処理と同じであり、これが終わるとＳ９０１に進む。
【０１３２】
Ｓ９０１は図９に示す処理と同じであり、記録メディア接続部３１０にてリムーブが確認されればＳ９０２に進み、リムーブが確認されなければＳ５０２に進む。Ｓ９０２は図９に示す処理と同じであり、これが終わると図１２に示す一連の処理を終了する。Ｓ５０２は図５に示す処理と同じであり、これが終わるとＳ５０３に進む。Ｓ５０３は図５に示す処理と同じであり、センサ３２１にてユーザが帰席したことが確認されればＳ１４０１に進み、ユーザが帰席したことが確認されなければＳ９０１に戻る。
【０１３３】
Ｓ１４０１では、タイマ３２３で計測するユーザが離席してからの経過時間および、帰席時の画面状態に基づいてユーザ帰席時の処理（処理Ｒ４）を行う。処理Ｒ４の詳細は図１５の説明と合わせて後述する。Ｓ１４０１の処理が終わると、図１４に示す一連の処理が完了となる。
【０１３４】
図１５は、実施例５におけるユーザ帰席時の処理（処理Ｒ４）の一例を示すものである。処理Ｒ４では、タイマ３２３で計測するユーザが離席してからの経過時間tuおよび、帰席時の画面状態に基づいて、処理内容を決定する。制御部３０６では、ここで決定した処理内容に従って出力を制御し、その制御によって映像出力部３０７で表示を行う。
【０１３５】
処理Ｒ４における処理内容は、以下の６通りに分類される。tuがtu＜Tplayを満たし、画面状態が通常モードの場合、何も処理を行わない。tuがTplay≦tuを満たし、画面状態が通常モードの場合、再生位置調整ＮＧメッセージを表示する。
【０１３６】
tuがtu＜Tplayを満たし、画面状態が節電モード移行メッセージを表示している状態の場合、節電モード移行メッセージの表示を終了する。tuがTplay≦tuを満たし、画面状態が節電モード移行メッセージを表示している状態の場合、節電モード移行メッセージの表示を終了した上で、再生位置調整ＮＧメッセージを表示する。
【０１３７】
tuがtu＜Tplayを満たし、画面状態が節電モードの場合、通常モードに移行する。tuがTplay≦tuを満たし、画面状態が節電モードの場合、通常モードに移行した上で再生位置調整ＮＧメッセージを表示する。
【０１３８】
図１６は、実施例５におけるコンテンツ再生装置の動作および画面表示の一例を示すものである。ここでは、Tmsg=３分、Tmute=４分、Tplay=３分であると想定している。ユーザの状態は離席中、在席中のいずれかであり、t=６分で離席、t=１４分で帰席したと想定している。
【０１３９】
画面状態は通常モード、節電モード移行メッセージ表示、節電モードのいずれかであり、上記想定の場合、ユーザが離席してからTmsgが経過したt=９分の時点で節電モード移行メッセージを表示する。また、ユーザが離席してからTmuteが経過したt=１０分の時点で節電モードに移行する。さらに、ユーザが帰席したt=１４分の時点で通常モードに移行する。
【０１４０】
このようにコンテンツ再生装置が動作した場合、t=８分のときは通常モードであり、図１６（ａ）に示すような画面表示となる。t=９分のとき、通常モードから節電モード移行メッセージ１０１を表示する状態に移行し、図１６（ｂ）に示すような画面表示となる。t=１０分のとき、節電モード移行メッセージ１０１を表示する状態から節電モードに移行し、図１６（ｃ）に示すような画面表示となる。t=１４分のとき、節電モードから通常モードに移行した上で再生位置調整ＮＧメッセージ１３０１を表示し、図１６（ｄ）に示すような画面表示となる。
【０１４１】
上述したように、実施例５では再生位置調整が行えないコンテンツを再生中にユーザが離席し、その後帰席した場合には再生位置選択メッセージを表示せずに、必要に応じて画面状態を通常モードに戻す処理や、再生位置調整ＮＧメッセージを表示する処理を行う。再生位置選択メッセージを表示する代わりに再生位置調整ＮＧメッセージを表示することにより、再生位置調整機能が作動しないのは故障ではなく、コンテンツに依るものであることをユーザに伝える効果が得られる。
【０１４２】
なお、実施例５では再生位置を調整できないコンテンツがリムーバブルメディアに記録されている場合について述べたが、このようなコンテンツがインターネットからストリーム配信されている場合や、内蔵ＨＤＤなどリムーブできないメディアに記録されている場合においても、図１２〜１６に示した制御方法を適用することで、同様の効果が得られる。
【実施例６】
【０１４３】
次に、図１７を用いて実施例６を説明する。実施例５では、再生位置調整が行えないコンテンツ再生中の動作について述べ、このときコンテンツの先頭から末尾まで再生位置調整が行えないことを前提としていた。しかし映画の予告編やユーザに対する警告画面など、コンテンツのある特定部分のみで再生位置調整が行えないことがある。そこで実施例６では、ある特定部分のみ再生位置調整が行えないコンテンツ再生中における、自動節電機能と再生位置調整機能について述べる。なお、コンテンツ再生装置の構成等、実施例１で図１〜４を用いて説明した事項は本実施例においても同様である。
【０１４４】
図１７は、実施例６におけるユーザ帰席時の処理の一例を示すものである。以下の説明では、コンテンツにおける再生位置の調整が行えない部分を再生位置調整ＮＧゾーンと呼ぶ。再生位置の調整が行えないことをパターン化すると、再生位置調整ＮＧゾーンからのスキップの可否、再生位置調整ＮＧゾーンへのスキップの可否、再生位置調整ＮＧゾーンを通り越すスキップの可否の組合せよって図１７（ａ）〜（ｆ）に示す８種類に分類できる。
【０１４５】
例えば、図１７（ａ）は再生位置調整ＮＧゾーンからのスキップが可能かつ、再生位置調整ＮＧゾーンへのスキップが可能かつ、再生位置調整ＮＧゾーンを通り越すスキップが可能なパターンである。また、図１７（ｂ）は生位置調整ＮＧゾーンからのスキップが可能かつ、再生位置調整ＮＧゾーンへのスキップが可能かつ、再生位置調整ＮＧゾーンを通り越すスキップが不可なパターンである。
【０１４６】
一方、再生位置調整ＮＧゾーンと、ユーザの離席および帰席のタイミングの関係は図１７（１）〜（５）に示す５種類に分類できる。例えば、図１７（１）では、コンテンツの再生位置が再生位置調整ＮＧゾーンに到達する前にユーザが離席し、再生位置調整ＮＧゾーンの再生が終わった後にユーザが帰席している。また、図１７（２）では、コンテンツの再生位置が再生位置調整ＮＧゾーンに到達する前にユーザが離席し、再生位置調整ＮＧゾーンを再生している最中にユーザが帰席している。
【０１４７】
再生位置調整制限のパターンと、ユーザの離席および帰席のタイミングの組み合わせにより、実施例６におけるユーザ帰席時の処理は図１７（ａ１）〜図１７（ｈ５）の４０通りに分類できる。
【０１４８】
図１７（ａ１）〜図１７（ｈ５）のうち、帰席時の処理として「処理Ｒ１」と記載してある箇所については、図９と同様のフローを適用し、ユーザ帰席時には図６（ｂ）に示す処理Ｒ１を行う。すなわち、離席からの経過時間tuがTplay≦tuを満たす場合は、再生位置選択メッセージ２０１を表示し、ユーザに対して再生位置調整の機会を提供する。
【０１４９】
図１７（ａ１）〜図１７（ｈ５）のうち、帰席時の処理として「処理Ｒ４」と記載してある箇所については、図９における処理Ｒ１を処理Ｒ４におきかえたフローを適用し、ユーザ帰席時には図１５に示す処理Ｒ２を行う。すなわち、離席からの経過時間tuがTplay≦tuを満たす場合は、再生位置調整ＮＧメッセージ１３０１を表示し、ユーザに対して再生位置調整の機会を提供しない。
【０１５０】
上述したように、実施例６では再生位置調整ＮＧの種類と、ユーザの離席および帰席のタイミングに応じて帰席時の処理を決定する。このことにより、ある特定部分のみ再生位置調整が行えないコンテンツ再生中についても、再生位置調整が可能な状況下ではユーザに対して再生位置調整の機会を提供し、使い勝手を向上させる効果が得られる。
【０１５１】
なお、上述した本実施形態は本発明の説明のための例示であり、本発明の範囲を実施形態にのみ限定する趣旨ではない。
【図１】
2013031026.tif 000003
【図２】
2013031026.tif 000004
【図３】
2013031026.tif 000005
【図４】
2013031026.tif 000006
【図５】
2013031026.tif 000007
【図６】
2013031026.tif 000008
【図７】
2013031026.tif 000009
【図８】
2013031026.tif 000010
【図９】
2013031026.tif 000011
【図１０】
2013031026.tif 000012
【図１１】
2013031026.tif 000013
【図１２】
2013031026.tif 000014
【図１３】
2013031026.tif 000015
【図１４】
2013031026.tif 000016
【図１５】
2013031026.tif 000017
【図１６】
2013031026.tif 000018
【図１７】
2013031026.tif 000019
【図１８】
2013031026.tif 000020
【図１９】
2013031026.tif 000021
【図２０】
2013031026.tif 000022
【図２１】
2013031026.tif 000023
【図２２】
2013031026.tif 000024
【図２３】
2013031026.tif 000025
【図２４】
2013031026.tif 000026
【図２５】
2013031026.tif 000027
【図２６】
2013031026.tif 000028